(57)【要約】      （修正有）【課題】真空密着包装体を構成する裏材と表材のフィルムが密着している部分が、離れやすくなることで、開口しやすく、内容物が取り出しやすい真空密着包装体を提供する。【解決手段】本発明の真空密着包装体５０は、表材１となるフィルムと裏材２となるフィルムをシールすることにより形成され、内容物１４を収納した包装体であって、表材となるフィルムと裏材となるフィルムがシールされているシール部と内容物の間に、開封予定部１０を有しており、開封予定部と内容物の間に、エンボス部１３を設けていることを特徴とする。【選択図】図１
2020189662.tif 000002
【特許請求の範囲】
【請求項１】
表材となるフィルムと裏材となるフィルムをシールすることにより形成され、内容物を収納した真空密着包装体であって、
表材となるフィルムと裏材となるフィルムがシールされているシール部と内容物の間に、開封予定部を有しており、
開封予定部と内容物の間に、エンボス部を設けている、
ことを特徴とする真空密着包装体。
【請求項２】
前記エンボス部を、前記開封予定部の全長に渡って設けていることを特徴とする、請求項１に記載の真空密着包装体。
【請求項３】
表材となるフィルムと裏材となるフィルムの両方にエンボス部を設けていることを特徴とする、請求項１または２に記載の真空密着包装体。
【発明の詳細な説明】
【技術分野】
【０００１】
本発明は、真空密着包装体に関する。
【背景技術】
【０００２】
従来、ハム、ソーセージ、ベーコンなどの畜産加工品食品、チーズ等の乳加工製品、半生菓子、野菜などの農産物、かまぼこなどの加工水産物などの包装として、真空密着包装などが知られている。
【０００３】
この真空密着包装は、プラスチックフィルムなどの上に上記食品を置き、その上に別のプラスチックフィルムをかぶせて脱気した後に密着包装するもので、食品の袋詰めの手間を省くことができたり、食品の酸化防止、品質保持、微生物の侵入や繁殖の防止などの効果を発揮したりすることが出来る。
【０００４】
この真空密着包装による包装体の一例として、特許文献１には、含有率１５％以上の水畜産加工品を少なくとも１層の収縮フィルムをラミネートした多層フィルムを用いて真空包装後、加熱加温処理して該袋を内容物に密着収縮させてなる水畜産加工品包装物が提案されている。
【先行技術文献】
【特許文献】
【０００５】
【特許文献１】特開昭６０−４７６３２号公報
【発明の概要】
【発明が解決しようとする課題】
【０００６】
特許文献１に記載の発明により、加熱加温処理（７５〜１２５℃）の度合をコントロールすることにより３〜２０％の間で製品の種別に応じてその収縮率をコントロールして包装することができるので、フィルムを製品に密着させて空間を無くすることができ、しわの部分から離水とネトの発生を防止できる。
【０００７】
しかし、上記を含めた従来の真空密着包装体（図６で示す、従来の真空密着包装体の第一実施形態を示す平面図参照）では、開封予定部から内容物までの間に、包装体を構成する表材と裏材のフィルムが密着している場合、包装体から内容物を取り出すために包装体に予め設けられたノッチ部などから包装体を開封しても、内容物が取り出しづらいという問題がある。具体的には、ノッチ部などからカットして包装体を開封しても、表材と裏材のフィルムが密着しているために、そのままでは内容物を取り出すことはできず、密着した表材と裏材のフィルムを引き離して包装体内に空気を入れるために、例えば、指でこの表材と裏材の２枚のフィルムを強くずらすなどの動作が必要で、この動作は、消費者にとって結構煩雑な作業である。
【０００８】
そこで、本発明は、開封予定部から内容物までの間の、真空密着包装体を構成する表材と裏材のフィルムが密着している部分が、離れやすくなることで、開口しやすく、内容物が取り出しやすい真空密着包装体を提供することを課題とする。
【課題を解決するための手段】
【０００９】
請求項１に記載の発明は、表材となるフィルムと裏材となるフィルムをシールすることにより形成され、内容物を収納した真空密着包装体であって、表材となるフィルムと裏材となるフィルムがシールされているシール部と内容物の間に、開封予定部を有しており、開封予定部と内容物の間に、エンボス部を設けている、ことを特徴とする真空密着包装体である。
【００１０】
請求項２に記載の発明は、前記エンボス部を、前記開封予定部の全長に渡って設けていることを特徴とする、請求項１に記載の真空密着包装体である。
【００１１】
請求項３の発明は、表材となるフィルムと裏材となるフィルムの両方にエンボス部を設けていることを特徴とする、請求項１または２に記載の真空密着包装体である。
【発明の効果】
【００１２】
本発明に係る真空密着包装体は、開封予定部から内容物までの間で、真空密着包装体を構成する表材と裏材のフィルムが密着している部分に、エンボス部を設けている。
【００１３】
これにより、真空密着包装体をノッチ部などからカットして開封し、内容物を取り出すために開口する時に、エンボス部に指が引っ掛かることで、開封予定部から内容物までの間の、密着している裏材と表材のフィルムをずらして引き離しやすくなるため、真空密着包装体内に空気を入れやすくなり、内容物が取り出しやすくなる。
【図面の簡単な説明】
【００１４】
【図１】本発明の真空密着包装体の一実施形態を示す平面図である。
【図２】図１の真空密着包装体のＡ−Ａ線の断面模式図である。
【図３】図１の真空密着包装体を開封・開口した状態の一例を示す説明図である。
【図４】本発明の真空密着包装体の別の実施形態を示す平面図である。
【図５】本発明の真空密着包装体の表材と裏材のそれぞれの層構成の一例を示す説明図である。
【図６】従来の真空密着包装体の一実施形態を示す平面図である。
【発明を実施するための形態】
【００１５】
以下、必要に応じて図面を参照して、本発明に係る真空密着包装体５０の実施形態の例について説明する。
【００１６】
図１は、本発明の真空密着包装体５０の一実施形態を示す平面図である。図１に示す通り、本発明の包装体は、表材１となるフィルムと裏材２となるフィルムとをシールすることにより形成され、内容物１４を収納した包装体である。
【００１７】
表材１と裏材２の間に内容物１４が挟まれ、四方のフランジ部６、７、７、８が表材１と裏材２によりシールされ、天シール部３、地シール部５および左右側シール部４、４が形成され、脱気包装された状態で密封されている。また左右側シール部４、４と、天シール部３および地シール部５とに囲まれた領域には、表材１となるフィルムと裏材２となるフィルムがシールされていない未シール部９が形成されている。この未シール部９で、表材１となるフィルムと裏材２となるフィルムがシールされているシール部と内容物１４の間に、開封予定部１０を有している。図２では、一例として、天シール部３の近傍の未シール部９に、開封予定部１０を有している。
【００１８】
この開封予定部１０は、開封位置を示した仮想的なものであり、実際には何もなくても良いが、印刷などにより開封する位置を示しても良いし、実際に表材１となるフィルムに例えばハーフカット線を施して開封し易くしても良い。開封予定部１０の両端の左右側シール部４、４には、表材１と裏材２に跨る切り込み部１１（以下、ノッチ部という）が、相対称してそれぞれ形成されている。
【００１９】
ノッチ部１１は、表材１と裏材２とを跨いで形成する。その形状は、ノッチ部１１から開封方向に、表材１と裏材２と一体となり引き裂けるような形状であればよい。例えば、Ｖ次状、ホームベース形状、Ｉ字状のものが好適に使用できる。なお、ここでは、「開封」とは、表材１となるフィルムと裏材２となるフィルムがシールされて密封された真空密着包装体５０の一部をカットして、包装体の密封状態を解くことを言う。
【００２０】
内容物１４は、真空密着包装体５０のほぼ中央に収納されており、開封予定部１０と内容物１４の間の未シール部９の一部で、横方向のほぼ中心の位置に、エンボス部１３が設けられている。後の図２に示す、図１の真空密着包装体５０のＡ−Ａ線の断面模式図の説明で述べる通り、エンボス部１３は、表材１と裏材２の相対称した部分に設けられている。このエンボス部１３により、後の図３に示す、真空密着包装体５０を開封・開口した状態の一例を示す説明図の説明で述べる通り、内容物１４を取り出すために真空密着包装体５０を開口する時に、密着している表材１と裏材２のフィルムをずらして引き離しやすくなり、内容物１４が取り出しやすくなる。ここで、「開口」とは、真空密着包装体５０の開封後に、密着している表材１と裏材２のフィルムの密着を解くことを言う。
【００２１】
図２は、図１の真空密着包装体５０のＡ−Ａ線の断面模式図である。図２に示す通り、天フランジ部６にシールされ天シール部３を形成すると共に、地フランジ部８にシールされ地シール部５を形成し、脱気包装され内容物１４が密封されている。この内容物１４の例として、図２においては、側面視縦長楕円形状の固形の内容物１４が収納されている。天シール部３、左右側シール４、４、および地シール部５に囲まれた領域には、未シール部９が形成されている。
【００２２】
また、図２に示す通り、真空密着包装体５０には、真空密着包装体５０の中の空気の脱気により、未シール部９の領域内で、表材１と裏材２が内容物１４を挟む込む部分以外の部分に、表材１となるフィルムと裏材２となるフィルムの、それぞれの内容物側の面同士が密着する箇所１２（以下、表材１と裏材２のフィルムが密着する箇所という）を有する。
【００２３】
また、この表材１と裏材２のフィルムが密着する箇所１２で、開封予定部１０と内容物１４の間に、エンボス部１３を設ける。上述のとおり、このエンボス部１３は、内容物１４を取り出すために真空密着包装体５０を開口する時に、密着している表材１と裏材２のフィルムをずらして引き離しやすくして、内容物１４が取り出しやすくするためのものである。よって、具体的には、真空密着包装体５０の開封予定部１０の下部をつまんで指をずらした場合に、指とフィルムの引っ掛かりを多くして、すべらなく、表材１と裏材２のフィルムの大きな引き離し応力が加わるように、エンボス部１３を設ける。
【００２４】
このエンボス部１３は、表材１となるフィルムと裏材２となるフィルムの少なくとも一方に設ければよい。なお、図２では、真空密着包装体５０の一実施形態として、開口時に指が引っ掛かるように、表材１となるフィルムと裏材２となるフィルムの両方にエンボス部１３を設けている。なお、エンボス部１３は、指が引っ掛かるようにするためのものであるため、開封予定部１０から指が通常届く程度の位置に設けることが好ましい。また、表面粗度が小さいと平滑面よりも摩擦係数が減少するので好ましくなく、ある程度以上粗くして指の引っ掛かりを多くする必要がある。
【００２５】
エンボス部１３の形状としては、亀甲、格子、絹目、ダイヤ、玉虫、麻目、梨地、しぶき、長方形、すじ形状等が挙げられる。すじ形状の場合は、開口時に、密着した表材１と裏材２のフィルムを引っ張る方向と直角になる方向に、上下に伸びた少なくとも一つ以上のすじ形状を施した方が、指への引っ掛かりが大きくなり、表材１と裏材２のフィルムの引き離し応力が作用しやすく望ましい。
【００２６】
図３は、図１の真空密着包装体５０を開封・開口した状態の一例を示す説明図である。図３（ａ）は、左右側シール部４、４のノッチ部１１同士を結ぶように、横にカットして開封した状態である。この状態では、上記図２に示す、図１の真空密着包装体５０のＡ−Ａ線の断面模式図の説明のとおり、開封予定部１０と内容物１４の間の未シール部９に、表材１と裏材２のフィルムが密着する箇所１２を有している。開封した真空密着包装体５０を開口する時は、図３（ｂ）のように、指で表材１と裏材２のフィルムが密着する箇所１２の部分をつまんで、エンボス部１５に指を引っ掛けて、この表材１と裏材２のフィルムをそれぞれ左右の別方向にずらして引き離し、この２枚のフィルムの間に隙間を作って真空密着包装体５０の中に空気を入れる。こうすることで、内容物１４を取り出しやすくなる。
【００２７】
上記エンボス部１３が存在しない場合、表材１と裏材２のフィルムが密着する箇所１２が存在するために、真空密着包装体５０を開口する時は、この密着したフィルムを指で強くずらすなどして密着したフィルムを引き離すなどの動作が必要となるが、この動作は、消費者にとって結構煩雑な作業である。
【００２８】
開封予定部１０と内容物１４の間にエンボス部１３を設けることで、エンボス部１３をつまんで指をずらした場合に、指とフィルムの引っ掛かりを多くし、すべらなく、２枚の密着したフィルムの大きな引き離し応力が加わる。
【００２９】
図４は、本発明の真空密着包装体の別の実施形態を示す平面図である。図１に示す真空密着包装体５０の一実施形態では、エンボス部１３が、開封予定部１０と内容物１４の間の未シール部９の一部で、横方向のほぼ中心の位置に設けられている。しかし、図４のように、エンボス部１３を、開封予定部の全長に渡って設けてもよい。図４では、その一例として、横方向のほぼ中心の位置だけでなく、平面視横一列に設けている。この場合、真空密着包装体５０の開封後の開口時に指でつまむ箇所を中央のみならず、開封予定部１０の下部の横方向のどの箇所をつまんでも、エンボス部１３に引っ掛かるため、密着した２枚のフィルムをよりずらしやすく、真空密着包装体５０を開口しやすくなる。
【００３０】
なお、図１に示す一実施形態の真空密着包装体５０と同じように、エンボス部１３は、表材１と裏材２の少なくとも一方に設ければよい。表面粗度が小さいと平滑面よりも摩擦係数が減少するので好ましくなく、ある程度以上粗くして指の引っ掛かりを多くする必要がある。
【００３１】
エンボス部１３の形状も図１と同じように、亀甲、格子、絹目、ダイヤ、玉虫、麻目、梨地、しぶき、長方形、すじ形状等が挙げられる。すじ形状の場合は、開口時に、密着した表材１と裏材２のフィルムを引っ張る方向と直角になる方向に、上下に伸びた横一列のすじ形状を施した方が、指への引っ掛かりが大きくなり、２枚のフィルムの引き離し応力が作用しやすく望ましい。
【００３２】
さらに、図１や図４に示すエンボス部１３のように一列ではなく、開封予定部１０と内容物１４の間の未シール部９であり、かつ、内容物１４の密封性や品質、真空密着包装体５０の開口性などに影響を与えなければ、複数列あるいは広領域に渡って設けてもよい。
【００３３】
図５は、本発明の真空密着包装体５０の表材１と裏材２のそれぞれの層構成の一例を示す説明図である。表材１と裏材２はそれぞれ、積層フィルム１５からなるものであり、表材１と裏材２をそれぞれ構成する積層フィルム１５の積層体は、外層側から、基材層２１、中間層２２、シーラント層２３、の順で積層する。
【００３４】
表材１と裏材２のそれぞれの基材層２１としては、少なくとも、低密度ポリエチレン（
ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−メタクリル酸共重合体（ＥＭＡＡ）、エチレン−アクリル酸エチル共重合体（ＥＡＡ）、エチレン−酢酸ビニル共重合体（ＥＶＡ）、ポリプロピレン（ＰＰ）などのポリオレフィン系樹脂からなるフィルム、ポリエチレンテレフタレート（ＰＥＴ）、ポリエチレンテレフタレートグリコール共重合体（ＰＥＴＧ）、ポリブチレンテレフタレート（ＰＢＴ）などのポリエステル系樹脂なども使用することができる。ポリアミド樹脂からなるナイロンフィルムなどを単層または二層以上の複層にして使用できる。
【００３５】
また表材１と裏材２のそれぞれの中間層２２としては、酸素バリア性、水蒸気バリアなどのガスバリア性を向上させるために、エチレン・ビニルアルコール共重合体フィルム（ＥＶＯＨ）や塩化ビニリデンフィルム（ＰＶＤＣ）などを積層することもできる。なお、ガスバリア性の安定性からエチレン・ビニルアルコール共重合体フィルムが好ましい。
【００３６】
耐ピンホール性などを向上させるために、ナイロンフィルムを積層することもできる。ナイロンフィルムとしては、例えば、６−ナイロン、６６−ナイロン、６９−ナイロンなどが使用できる。
【００３７】
内容物１４をボイル殺菌、レトルト殺菌するものには、例えば、ポリプロピレンフィルム／接着層／エチレン・ビニルアルコール共重合体フィルム／接着層／ポリプロピレンフィルムの五層共押出し積層フィルムが使用できる。ポリプロピレンフィルムは、ポリプロピレンホモポリマー、ポリプロピレンコポリマーなどのフィルムが好ましい。
【００３８】
表材１と裏材２のそれぞれを構成する積層体の中に中間層２２を設けることで、ガスバリア性、耐ピンホール性などを向上させることができる。また中間層２２を積層する接着樹脂層としては、低密度ポリエチレン、直鎖状低密度ポリエチレン、中密度ポリエチレン、高密度ポリエチレンなどのポリエチレン樹脂、ポリプロピレン樹脂などのオレフィン系樹脂、エチレン−酢酸ビニル共重合樹脂、エチレン−メタルメタアクリレート共重合樹脂、エチレン−エチルアクリレート共重合樹脂、エチレン−アクリル酸共重合樹脂、エチレン−メタアクリル酸共重合樹脂、エチレン系アイオノマーなどのエチレン−共重合体系樹脂からなるフィルムなどが挙げられる。中でもポリプロピレン樹脂からなるフィルムが好ましい。
【００３９】
表材１と裏材２のそれぞれのシーラント層２３としては、具体的には、下記の樹脂組成物Ａ、樹脂組成物Ｂ、あるいは樹脂組成物Ａと樹脂組成物Ｂとの混合物を好適に用いることができる。中でも、ヒートシール性樹脂層としては、樹脂組成物Ａと樹脂組成物Ｂとの混合物を用いることが好ましく、特にエチレン−酢酸ビニル共重合体（ＥＶＡ）とポリブテン−１（ＰＢ−１）との混合物を用いることが好ましい。
樹脂組成物Ａ：主成分が直鎖状低密度ポリエチレン（ＬＬＤＰＥ）、エチレン−酢酸ビニル共重合体（ＥＶＡ）、エチレン−アクリル酸共重合体（ＥＡＡ）、エチレン−アクリル酸エチル共重合体（ＥＥＡ）、エチレン−（メタ）アクリル酸共重合体（ＥＭＡＡ）、エチレン−（メタ）アクリル酸メチル共重合体（ＥＭＭＡ）、エチレン−アクリル酸メチル共重合体（ＥＭＡ）、及びエチレン−アクリル酸共重合体（ＥＡＡ）、並びにエチレン−アクリル酸エチル共重合体（ＥＥＡ）のアイオノマーからなる群から選ばれる樹脂組成物、あるいはそれらの混合体
樹脂組成物Ｂ：ポリプロピレン（ＰＰ）又はポリブテン−１（主成分がポリプロピレン（ＰＰ）又はポリブテン−１（ＰＢ−１）である樹脂組成物、あるいはそれらの混合体
【００４０】
上記の表材１と裏材２のそれぞれの基材層２１、中間層２２、シーラント層２３の各層の好ましい厚みは、基材層２１が１２μｍ、中間層２２が１５μｍ、シーラント層２３が
６０μｍである。
【００４１】
また、表材１または裏材２の基材層２１には、必要に応じて適宜印刷層を設けることができる。印刷層は、溶剤と、ウレタン系、アクリル系、ニトロセルロース系、ゴム系などのバインダー樹脂と、各種顔料、体質顔料および可塑剤、乾燥剤、安定剤などを添加してなるインキにより形成される層である。この印刷層により、文字、絵柄などを形成することができる。印刷方法としては、例えば、オフセット印刷、グラビア印刷、フレキソ印刷、シルクスクリーン印刷、インクジェット印刷などの公知の印刷方法を用いることができる。また基材フィルム層の印刷する面を、予め前処理としてコロナ処理またはオゾン処理を施すことにより、印刷層の密着性を向上させることができる。通常は、基材フィルム層の内面に印刷層を設ける。
【００４２】
上記の表材１となるフィルムおよび裏材２となるフィルムの製造方法には特に制限はなく、基材層２１、中間層２２及びシーラント層２３を同時に、又は逐次的に積層して作製することができる。具体的には、Ｔダイ法、チューブラ法など既存の方法を用いて、ダイを備えた押出機を用いて共押出しすることにより、各層を備えたフィルムを一度に作製できる。また、各層を構成する樹脂を別々にシート化した後に、ウェットラミネート法、ホットメルトラミネート法、ドライラミネート法、プレス法、または押出ラミネート法などを用いて積層して逐次的に作製することもできる。
【００４３】
以下、本発明の真空密着包装体５０の具体的製造方法について一例を説明する。
【００４４】
まず、裏材２のシーラント層２３側に内容物１４を置き、その上に表材１のシーラント層２３側が内容物１４に接するようにかぶせてシーラント層２３同士が対向するようにする。そして、表材１と裏材２のフランジ部同士を重ね合わせ、まず天シール部３以外の、左右側シール部４、４、地シール部５を形成する。その後に行う真空包装の方法として、大きく分けて、チャンバー方式とノズル方式があるが、主流は後者である。ノズル方式は、袋の中にノズルを差し込み、スポンジ等でノズル以外の口部を押さえて、真空ポンプで袋内を脱気する方法である。一方、チャンバー方式は、真空にできるボックス（チャンバー）内に内容物を詰めた袋をセットし、ボックス内を真空にし、この状態で密封シールするものである。本発明の真空密着包装体５０の製造において、例えば、このチャンバー方式を採用する場合は、上記の天部のみシールされていない状態で内容物１４が収納された袋状のものをチャンバー内にセットし、チャンバー内を真空にし、この状態で天シール部３を形成して内容物１４を密封する。以上により、脱気包装された真空密着包装体５０を作成する。さらに、未シール部９を形成する左側シール部４または右側シール部４のいずれか、または、左右側シール部４、４に相対称してノッチ部１１を設ける。
【００４５】
ノッチ部１１は、表材１と裏材２とを跨いで形成する。その形状は、ノッチ部１１から開封方向に、表材１と裏材２と一体となり引き裂けるような形状であればよい。例えば、Ｖ次状、ホームベース形状、Ｉ字状のものが好適に使用できる。
【００４６】
ノッチ部１０を形成する方法としては、内容物１４を充填し表材１と裏材２をシールし密封した後、天シール部３および地シール部５のいずれか、または天シール部３および地シール部５に相対称して、金属刃により設けることができる。金属刃による抜き型、金型によるプレス機、また炭酸ガスレーザー加工によっても可能である。
【００４７】
作成された真空密着包装体５０のノッチ部１１を介して、天地方向に表材１と裏材２と一体となり引き裂き開封する。
【００４８】
エンボス部１３は、表材１のフィルムまたは／および裏材２のフィルムの、外側の面ま
たは／および内容物側の面に、各種のエンボス加工を施すことにより形成され、例えば適当な表面粗度を有するチルロールとプレッシャーロールとの間にフィルムを通すことによって行われる。表面粗度が小さいと平滑面よりも摩擦係数が減少するので好ましくなく、ある程度以上粗くして指の引っ掛かりを多くする必要がある。
【００４９】
以下、本発明の具体的実施例について説明する。下記の実施例１、２、および比較例１ともに、真空密着包装体５０の縦横の寸法、密封された内容物１４の内容や形状（ここでは正面視および側面視縦長楕円形状）は同じである。
【００５０】
（実施例１）
図１に示す真空密着包装体５０を使用した。具体的には、縦長長方形状の３つの凸部が横一列に連なった形状のエンボス部１３が、開封予定部１０と内容物１４の間の未シール部９の一部で、横方向の中心の位置に設けられている。
【００５１】
実施例１における、包装体の表材１と裏材２のそれぞれを構成する積層フィルムの層構成は、表１に示すとおり、外層側から、酸化ケイ素蒸着ポリエステル（ＧＬＰＥＴ）１２μｍ／ナイロン（ＮＹ）１５μｍ／無延伸ポリプロピレン（ＣＰＰ）６０μｍとなる。
【００５２】
（実施例２）
図４に示す真空密着包装体５０を使用した。具体的には、縦長長方形状の１１個の凸部が横一列に連なった形状のエンボス部１３を、開封予定部１０と内容物１４の間の未シール部９の一部に、平面視横一列に設けた。
【００５３】
実施例２における、真空密着包装体５０の表材１と裏材２のそれぞれを構成する積層フィルムの層構成は、表１に示すとおり、外層側から、蒸着ナイロン（ＧＬＮＹ）１５μｍ／無延伸ポリプロピレン（ＣＰＰ）６０μｍとなる。
【００５４】
（比較例１）
図６は、従来の真空密着包装体５０の一実施形態を示す平面図である。図６に示す従来の真空密着包装体５０は、図１に示す真空密着包装体５０と、エンボス部１３が設けられていない以外は同じである。比較例１として、この図６に示す従来の真空密着包装体５０を使用した。上述の通り、真空密着包装体５０にエンボス部１３が設けられていない。
【００５５】
比較例１における、真空密着包装体５０包装体の表材１と裏材２のそれぞれを構成する積層フィルムの層構成は、実施例１と同じであり、表１に示すとおり、外層側から、酸化ケイ素蒸着ポリエステル（ＧＬＰＥＴ）１２μｍ／ナイロン（ＮＹ）１５μｍ／無延伸ポリプロピレン（ＣＰＰ）６０μｍとなる。
【００５６】
（評価）
上記の実施例１、２および比較例１のそれぞれの真空密着包装体５０を作成し、それぞれの真空密着包装体５０の開封後の開口時の使用感について、対象１０人におけるモニター評価をおこなった。評価内容は、真空密着包装体５０の開封後の開口時の使用感である。この真空密着包装体５０の開封後の開口時の使用感について、１０人中１０人が内容物１４を取り出しやすいと感じた場合に〇とし、１０人中１人でも内容物１４を取り出しにくいと感じた場合は×として示す。その結果を表１に示した。
【００５７】
【表１】
2020189662.tif 000003
【００５８】
モニター評価の結果、実施例１と実施例２は、真空密着包装体５０の開封後、エンボス部１３を指でつまみ、エンボス部１３を起点として、開封予定部１０と内容物１４の間の
未シール部９における、密着した表材１と裏材２のフィルムをずらしやすく、引き離しやすいため、真空密着包装体５０の中に空気を入れやすく、容易に内容物１４を取り出すことができ、結果的に、１０人中１０人が内容物１４を取り出しやすいと感じた。
【００５９】
一方、比較例１は、開封予定部１０と内容物１４の間の未シール部９における、密着した表材１と裏材２のフィルムを指で強くずらして真空密着包装体５０の中に空気を入れたが、表材１と裏材２のフィルムの密着を解放させるのに時間がかかり、容易に内容物１４を取り出すことができず、結果的に、１０人中少なくとも１人は内容物１４を取り出しにくいと感じた。
【符号の説明】
【００６０】
１・・・表材
２・・・裏材
３・・・天シール部
４、４・・・側シール部
５・・・地シール部
６・・・天フランジ部
７、７・・・側フランジ部
８・・・地フランジ部
９・・・未シール部
１０・・・開封予定部
１１・・・切り込み部（ノッチ部）
１２・・・裏材と表材をそれぞれ構成する２枚のフィルムの内容物側の面同士が密着する箇所（裏材と表材のフィルムが密着する箇所）
１３・・・エンボス部
１４・・・内容物
１５・・・積層フィルム
２１・・・基材層
２２・・・中間層
２３・・・シーラント層
５０・・・真空密着包装体
【図１】
2020189662.tif 000004
【図２】
2020189662.tif 000005
【図３】
2020189662.tif 000006
【図４】
2020189662.tif 000007
【図５】
2020189662.tif 000008
【図６】
2020189662.tif 000009